(57)【要約】【課題】ハーフＬサイズのプリント写真を見やすく収納することが可能な収納袋を提供する。【解決手段】透明な矩形状のシートを、その中央部１２でシートの両端が互いに一定の間隔を隔てて略平行となるように内折りにする。その両端を開口１３ａ，１３ｂとして、開口１３ａ，１３ｂの左右で収納物であるプリント写真（８９ｍｍ×６８ｍｍ）の外形に沿って上下のシートを固着することにより、収納部１４ａ，１４ｂを形成している。収納袋１０には、この収納部１４ａ，１４ｂが４行×２列の合計８箇所に形成されており、この収納部１４ａ，１４ｂは、９２ｍｍ×６８ｍｍのサイズにされている。収納袋本体１１は、Ａ４サイズ（２１０ｍｍ×２９７ｍｍ）にされており、その左側端部には、ファイリング用の２つの孔１５が形成された綴じ代１６が設けられている。【選択図】        図１
2005001142.tif 000002
【特許請求の範囲】
【請求項１】
矩形状のシートを、その中央部で互いに向かい合うようにその両端を内折りにし、中央部に配置された前記両端を開口として、その開口の両端で、重なり合った上下のシートを固着することにより、前記中央部の左右に収納部を形成したことを特徴とする収納袋。
【請求項２】
前記収納部の開口に対して反対側に形成された折り部に沿って、重なり合った上下のシートを固着することを特徴とする請求項１記載の収納袋。
【請求項３】
前記収納袋の側端部には、孔が形成された綴じ代が設けられていることを特徴とする請求項１または請求項２記載の収納袋。
【請求項４】
前記収納部は、複数行形成されていることを特徴とする請求項１ないし請求項３のいずれか記載の収納袋。
【請求項５】
前記収納部は、４行２列で合計８箇所に形成されていることを特徴とする請求項１ないし請求項４のいずれか記載の収納袋。
【請求項６】
前記収納部のサイズは、９２ｍｍ×６８ｍｍであることを特徴とする請求項１ないし請求項５のいずれか記載の収納袋。
【請求項７】
前記収納物は、８９ｍｍ×６３ｍｍのプリント写真であることを特徴とする請求項１ないし請求項６のいずれか記載の収納袋。
【請求項８】
前記収納袋は、Ａ４サイズで形成されていることを特徴とする請求項１ないし請求項７のいずれか記載の収納袋。
【発明の詳細な説明】
【０００１】
【発明の属する技術分野】
本発明は、プリント写真を収納する収納袋に関し、さらに詳しくは、ハーフＬサイズプリントを収納する収納袋に関する。
【０００２】
【従来の技術】
従来の収納袋としては、Ｌサイズのプリント写真を収納する収納袋や、インデックスプリント、及びネガフイルムを同時に収納可能な収納袋などが知られている（例えば、特許文献１）。
【０００３】
【従来技術】
特開平１１−２９２０８６号公報
【０００４】
【発明が解決しようとする課題】
しかしながら、従来の収納袋には、ハーフＬサイズ（８９ｍｍ×６３ｍｍ）のプリント写真を収納する専用の収納袋がないので、プリント写真を一覧性良く収納することが出来ない。このため、ハーフＬサイズプリントを一覧性良く収納する収納袋が望まれていた。また、プリント写真を収納する収納袋は、収納部の開口が片側に集中していないために、プリント写真を収納部に挿入する際の作業性が悪いという問題があった。
【０００５】
本発明は上記の事情を考慮してなされたもので、ハーフＬサイズのプリント写真を見やすく収納し、プリント写真を挿入する際の作業性を向上させた収納袋を提供することを目的とする。
【０００６】
【課題を解決するための手段】
上記目的を達成するため、本発明の収納袋は、矩形状のシートを、その中央部で互いに向かい合うようにその両端を内折りにし、中央部に配置された両端を開口として、その開口の両端で、重なり合った上下のシートを固着することにより、中央部の左右に収納部を形成したことを特徴とするものである。また、収納部の開口に対して反対側に形成された折り部に沿って、重なり合った上下のシートを固着することを特徴とするものである。
【０００７】
また、前述の収納袋の側端部には、複数の孔が形成された綴じ代が設けられていることを特徴とするものである。
【０００８】
さらに、前述の収納部は、複数行形成されており、例えば、４行２列で合計８箇所に形成されていることを特徴とするものである。
【０００９】
前述の収納部のサイズは、９２ｍｍ×６８ｍｍであり、前述の収納物は、８９ｍｍ×６３ｍｍのプリント写真であることを特徴とするものである。
【００１０】
また、前述の収納袋は、Ａ４サイズ（２１０ｍｍ×２９７ｍｍ）で形成されていることを特徴とするものである。
【００１１】
【発明の実施の形態】
図１は、本発明の収納袋１０の平面図である。収納袋１０は、収納袋本体１１の中央部１２の左右に形成された開口１３ａ，１３ｂと、この開口１３ａ，１３ｂの左右に収納物の外形に合わせて形成された収納部１４ａ，１４ｂと、左側端部に設けられ、２つの孔１５が形成された綴じ代１６とで構成されている。
【００１２】
この収納袋本体１１は、全体としてＡ４サイズ（２１０ｍｍ×２９７ｍｍ）で形成されており、収納部１４ａ，１４ｂが４行×２列の合計８箇所に形成されている。この収納部１４ａ，１４ｂは、ハーフＬサイズのプリント写真（８９ｍｍ×６３ｍｍ）を収納するのに最適なサイズ、つまり、９２ｍｍ×６８ｍｍで形成されている。
【００１３】
図２は、収納袋１０の構成を示す斜視図である。収納袋本体１１は、透明なシート、例えば、ポリ塩化ビニル製、またはポリエチレン製等のシートで構成されている。このシートは、略長方形状（矩形状）にされており、その両端２０ａ，２０ｂは、両端２０ａ，２０ｂと平行な折り線２１ａ，２１ｂで内折りにされる。この時、両端２０ａ，２０ｂがシートの略中央でお互いが一定の間隔を隔てて平行となるように、２点鎖線で示す位置２２ａ，２２ｂに配置される。この両端２０ａ，２０ｂの配置間隔は、２〜３ｍｍ程度が好ましいが、３ｍｍ以上でも良い。
【００１４】
その後、収納袋本体１１の外周、すなわち図中点線で示す固着位置２３ａで上下のシートが固着される。また、収納袋本体１１の左側端の点線で示す固着位置２３ｂで上下のシートが固着される。この固着位置２３ａ及び固着位置２３ｂにより囲まれた部分が、綴じ代１６を形成する。
【００１５】
この綴じ代１６には、その中央付近の２箇所に孔１５が形成される。この孔１５は、収納袋１０をファイリングする際に利用される。この孔１５は、２箇所ではなく、３箇所以上形成しても良い。また、この綴じ代１６は、綴じ代に対応する部分の上下のシートを全面に亘って固着することにより形成しても良い。
【００１６】
また、収納袋本体１１の中央に平行に配置された両端２０ａ，２０ｂは、収納部１４ａ，１４ｂの開口１３ａ，１３ｂとして利用するため固着しない。この両端２０ａ，２０ｂを中心として、左右対称にプリント写真（収納物）の形状に沿うように図中点線で示す固着位置２３ｃで上下のシートが固着されて収納部１４ａ，１４ｂが形成される。この収納部１４ａ，１４ｂは、前述したように、４行×２列の合計８箇所に形成される。
【００１７】
なお、シートの固着は、固着位置２３ａ，２３ｂ，２３ｃにおいて、ミシン目状に固着しても良いし、直線状に固着しても良い。この固着は、熱溶着方法等の方法により行われる。例えば、熱溶着方法の場合には、ヒータにより熱せられた金属コテをシートの上面側から押し当てて圧力を加えることにより熱溶着が行われる。
【００１８】
次に、前述の構成の収納袋１０の作用について説明を行う。この収納袋１０にプリント写真３０を収納する際は、収納袋１０を図３に示すように中央で２つ折りにして、図中矢印で示す方向に沿って開口１３ａ，１３ｂからプリント写真３０を収納部１４ａ，１４ｂに挿入する。この時、開口１３ａ，１３ｂの全てが、収納袋１０の中央部分に形成されているので、プリント写真３０を収納部１４ａ，１４ｂに挿入する時の作業性が高い。
【００１９】
また、この収納袋１０には、収納部１４ａ，１４ｂが４行×２列の合計８箇所に形成されているので、１枚の収納袋１０に８枚のプリント写真３０を収納させることができる。このため、プリント写真３０の一覧性が高く、見やすく収納することができる。さらに、この収納袋１０は、１枚の透明なシートで形成されているので、２枚のプリント写真３０の互いの裏面を重ね合わせて、１つの収納部に収納させることにより、１６枚のプリント写真を一覧性良く収納することができる。また、綴じ代１６にファイリング用の孔１５を形成したので、容易にファイリングすることができる。
【００２０】
なお、本実施形態においては、Ａ４サイズの収納袋本体に４行×２列の合計８箇所の収納部を形成したが、収納袋のサイズ、及び収納部の個数・サイズは、収納物の種類やサイズ等に基づいて適宜設定されるものであり、本実施形態に限定されるものではない。
【００２１】
また、本実施形態においては、綴じ代を左側端部に設けるように説明を行ったが、これに限るものではなく、右側端部に設けても良いし、上側または下側に設けても良い。
【００２２】
さらに、本実施形態においては、収納袋にハーフＬサイズのプリント写真を収納するように説明を行ったが、これに限るものではなく、例えば、Ａ３サイズの収納袋にＬサイズのプリント写真を収納するようにしても良い。また、名刺を収納するようにしても良い。この場合は、収納部を名刺のサイズに合わせた大きさになるように形成すれば良い。
【００２３】
【発明の効果】
上述のように、本発明の収納袋によれば、ハーフＬサイズのプリント写真の収納性が高く、プリント写真を収納した時にプリント写真が見やすく一覧性が良い。また、収納部の開口の位置が片側に集中しているのでプリント写真を収納部に挿入する時の作業性が向上する。
【図面の簡単な説明】
【図１】収納袋の平面図である。
【図２】収納袋の構成を示す斜視図である。
【図３】収納袋の作用を示す説明図である。
【符号の説明】
１０  収納袋
１１  収納袋本体
１２  中央部
１３ａ，１３ｂ  開口
１４ａ，１４ｂ  収納部
１５  孔
１６  綴じ代
２０ａ，２０ｂ  両端
２３ａ，２３ｂ，２３ｃ  固着位置
３０  プリント写真
【図１】
2005001142.tif 000003
【図２】
2005001142.tif 000004
【図３】
2005001142.tif 000005